(57)【特許請求の範囲】
【請求項１】
頂部に平滑面であるテーブルを配し、截頭部に所要形状の複数のカット面を施したアッパー側のクラウンと、該クラウンと周部のガードルを介して一体化され、逆錐部に所要形状の複数のカット面を施したロワー側のパビリオンとを備えた宝石であって、前記テーブルがなだらかな半球形状に隆起して形成されていると共に、前記パビリオンには鋭角なキューレットを中心としてパビリオンメインファセットが形成され、当該パビリオンメインファセットは、前記キューレットに近い下側パビリオンメインファセットと前記ガードルに近い上側パビリオンメインファセットに二分割されていることを特徴とする宝石。
【請求項２】
前記宝石が、平面方向より見ると円形状、ハート形状、涙形状、楕円形状、多角形状の群より選ばれるいずれか一の形状により形成されたものであることを特徴とする請求項１に記載の宝石。
【請求項３】
前記宝石類は、透明又は半透明のレッド、ピンク、イエロー、グリーン、ブルー、オレンジ、ブラウン、ホワイト、ブラックからなる群より選ばれるいずれか一の色合いを有していることを特徴とする請求項１乃至２の１に記載の宝石。
【発明の詳細な説明】
【０００１】
【発明の属する技術分野】
本発明は、なだらかな半球形状に隆起するテーブルを有する宝石及びそのカッティング方法に関する。
【０００２】
【従来の技術】
従来からある宝石の一般的形状、特にダイアモンド７０では、図９に示すように、平滑面であるテーブルを有する略円錐台形状のクラウン７１と、鋭角なキューレット７９を有する略円錐形状のパビリオン７２と、このクラウン７１とパビリオン７２との境界周面の帯状のガードル７３とを備えている。そして、クラウン７１側は、８面のクラウンメインファセット７４と、８面のスターファセット７６と、１６面のアッパーガードルファセット７５とにカットされ、パビリオン７２側では、８面のパビリオンメインファセット７８と、１６面のローワガードルファセット７７と、細かな複数のカット面にカットされるのが最も一般的である。
【０００３】
【特許文献】
特許第１９８４９９６号
【０００４】
【発明が解決しようとする課題】
ここで、ダイアモンド７０においては、前記クラウン７１側より入射した光がパビリオン７２側で反射されて輝きを発するという性質より、クラウン７１側の中央に形成されるテーブル７９は多くの光を取り入れるために常にフラット（平面状）に形成されていた。クラウン７１側のテーブル７９がフラットな平滑面に形成されることにより、ダイアモンド７０は最も多くの輝きを発し、需要者の美観に訴える商品的価値を有することができるからである。しかし、一方では、需要者の趣向の変化に伴い、例えば、無色透明ではないカラーダイアモンドなどの発売がされることで、異なる美観を訴えることができる新しい宝石の登場も望まれていた。
【０００５】
本発明はかかる点に鑑みてなされたものであり、需要者の新しい美感に訴えることができる形状の宝石及びそのカッティング方法を提供することを目的とする。
【０００６】
【課題を解決するための手段】
本発明の請求項１に記載された宝石は、頂部に平滑面であるテーブルを配し、截頭部に所要形状の複数のカット面を施したアッパー側のクラウンと、該クラウンと周部のガードルを介して一体化され、逆錐部に所要形状の複数のカット面を施したロワー側のパビリオンとを備えた宝石であって、前記テーブルがなだらかな半球形状に隆起して形成されていると共に、前記パビリオンには鋭角なキューレットを中心としてパビリオンメインファセットが形成され、当該パビリオンメインファセットは、前記キューレットに近い下側パビリオンメインファセットと前記ガードルに近い上側パビリオンメインファセットに二分割されている宝石であることを特徴とする。
【０００７】
また、請求項１に記載の宝石は、前記宝石が、平面方向より見ると円形状、ハート形状、涙形状、楕円形状、多角形状の群より選ばれるいずれか一の形状により形成されたものであることが好ましい。さらに、請求項１に記載の宝石は、透明又は半透明のレッド、ピンク、イエロー、グリーン、ブルー、オレンジ、ブラウン、ホワイト、ブラックからなる群より選ばれるいずれか一の色合いを有していることが好ましい。
【０００８】
これらの発明によれば、需要者の趣味感に訴える新しい美感を備えるダイアモンドを得ることができる。
【０００９】
【発明の実施の形態】
以下、本発明の実施の形態について、添付図面を参照して詳細に説明する。
【００１０】
（実施の形態１）
本実施の形態では、略円錐形状を有するパビリオンを備えたダイアモンドについて説明する。図１（ａ）は、本発明の実施の形態１に係るダイアモンドを示す正面図であり、図１（ｂ）は、本発明の実施の形態１に係るダイアモンドを示す平面図であり、図１（ｃ）は、本発明の実施の形態１に係るダイアモンドを示す底面図である。
【００１１】
図１（ａ）に示すように、ダイアモンド１０は、なだらかな半球形状（断面略半円形状）を有するクラウン１１と、略円錐形状（断面略三角形状）であるパビリオン１２と、クラウン１１とパビリオン１２との境界周面の帯状のガードル１３とを備える。
【００１２】
ダイアモンド１０のクラウン１１の頂部には、中央で湾曲し、半球形状に隆起するテーブル１５が形成されている。テーブル１５は、細かなカット面が全く施されない平滑面であり、全体が丹念に研磨されている。また、テーブル１５とガードル１３との間には、複数のアッパーガードルファセット１４が形成されている。
【００１３】
ダイアモンド１０において、アッパーガードルファセット１４の面数には特に限定があるわけではなく、主としてダイアモンド１０の大きさ（重量）に応じて決定される。例えば、重量１ＣＴ以下のダイアモンド１０では８面以下、例えば４面や６面あるいは８面であることが多く、重量１ＣＴ以上の大きなダイアモンド１０では８面以上、例えば１６面や２４面あるいは３２面であることが多く、さらにはテーブル１５の周囲に二重取り巻き（二列）の細かなアッパーガードルファセット１４を形成しても良い。
【００１４】
さらに、ダイアモンド１０において、クラウン１１上で隆起するテーブル１５の曲率について特に限定があるわけではなく、具体的には歩留まり（カッティング後のダイアモンド１０の重量）とインクルージョン（ダイアモンド１０に包含される傷）との関係で決定される。例えば、テーブル１５をより高く形成してカットすれば、ダイアモンド１０全体の重量が１ＣＴ以上となる場合には価格との関係よりテーブル１５の湾曲が大きくなることが多く、テーブル１５をより低く形成してカットすれば、大きなインクルージョンが除去される場合には価格との関係よりテーブル１５の湾曲はより小さくなることが多い。
【００１５】
一方、図１（ｃ）に示すように、ダイアモンド１０のパビリオン１２には、鋭角なキューレット１８を中心として複数のパビリオンメインファセット１６が形成されている。このパビリオンメインファセット１６とガードル１３の間には、複数のローワガードルファセット１７が形成されている。
【００１６】
ダイアモンド１０において、パビリオン１２におけるカット面数には、特に限定はなく、一般的なダイアモンドのパビリオンに施されるカット面であれば、どのようなものであっても差し支えない。
【００１７】
このような構成を有するダイアモンド１０は、図１（ａ）に示すように、クラウン１１側から入射した光（図１（ａ）中の矢印Ａ）はパビリオン１２側で反射してクラウン１１側から出射し、宝石としての輝きを発する点では従来のダイアモンドと何ら変わりがない。
【００１８】
ただし、ダイアモンド１０においては、平坦なテーブルが形成された従来のダイアモンドとは異なり、半球形状に形成されたテーブル１５により入射する光が緩和される。したがって、従来のダイアモンドとは異なる輝きを発揮し、特に、原石の色合いが非常に薄い、有色透明のピンク、イエロー、グリーン、ブルー、ブラウンなどの天然カラーダイアモンドにおいて、より色合いを帯びた美しい輝きを発することができる。
【００１９】
また、ダイアモンド１０においては、半球形状に形成されたテーブル１５は一種のレンズ効果を発揮し、例えば、図１（ｂ）に示すように、注意深く観察すると、テーブル１５からパビリオン１２のカット面、すなわちパビリオンメインファセット１６とローワガードルファセット１７をかすかな模様として拡大視認することもできる。このため、従来のダイアモンドとは異なる需要者の新しい趣味感に訴えることができる。
【００２０】
次に、ダイアモンド１０のカッティング方法について説明する。図５〜図８は、ダイアモンド１０のカッティング方法の一部を説明するための図である。
【００２１】
まず、図５に示すように、オクタヘドロン結晶形からなるダイアモンド原石６１の下方１２Ｘ（パビリオン側）をタング６７と呼ばれるダイアモンドカッティングに使用される治具で水平方向で回転可能に挟持し、ダイアモンド原石６１の上方１１Ｘ（クラウン側）をレーザで切断してクラウン側を形成する。このとき、レーザビームを一定方向より半円状に往復移動させながら照射してダイアモンド原石６１の上方を切断する、一回切断後、タング６７を微細な角度（例えば、約５度。）のみ水平回転し、同様にレーザビームでダイアモンド原石６１の上方１１Ｘを半円状に切断する。そして、ダイアモンド原石６１が一回転するまで、この作業を繰り返すと、図６に示すように、平滑ではない細かな切断面により全体として半球形状に隆起するクラウン１１Ｙが形成される。
【００２２】
次いで、図７に示すように、ダイアモンド原石６１の下方１２Ｘ（パビリオン側）を研磨装置のシャフト６２に取付ける。その取付け方法に特に限定はないが、前記したタング６７によって強固に挟持する、あるいは、強力接着剤や宝石ラピダリー（研磨）などに使用される強力ろう６３を使用して固着しても良い。
【００２３】
図８において６４は、スカイフといわれる研磨を行う基台を示す。このスカイフ６４は、回転シャフト６５により回転自在に支持されている。スカイフ６４の表面上には、研磨粉である微細なダイアモンド粉６６がオイルと共に散布されている。
【００２４】
回転シャフト６５は、その回転数（回転速度）などを制御することができる。スカイフ６４の上方には、図示しない制御部が設置されており、その先端にシャフト６２が取り付けられている。
【００２５】
制御部は昇降可能に構成され、前記クラウン１１Ｙが形成されたダイアモンド原石を研磨する際に下降し、また、研磨が終了すると上昇するように制御を行う。また、シャフト６２の角度及び研磨圧力は自動制御される。
【００２６】
上記構成を有する研磨装置を用いて、まず、回転シャフト６５によりスカイフ６４を所定の回転速度で回転させ、強力ろう６３でダイアモンド原石６１のパビリオン１２Ｘ側を把持し、制御部によりシャフト６２を下降させて、クラウン１１Ｙをスカイフ６４により研磨する。このとき、制御部によりシャフト６２の角度、研磨圧力及び回転速度を制御する。具体的には、ダイアモンド原石６１をゆっくり回転しながら斜方向からスカイフ６４と接触させ、接触角度を順次変化させる。このような研磨処理をクラウン１１Ｙに施して平滑な半球形（断面略半円形状）のテーブル１５が形成されるまで研磨する。また、パビリオン１２Ｘについては、通常のダイアモンドカッティング方法と同様に研磨処理を施し、複数のカット面を形成する。
【００２７】
（実施の形態２）
本実施の形態では、略円錐形状を有し、各稜線に一の段差部を有し、パビリオンメインファセットが上下方向で二のカット面に分割されているパビリオンを備えたダイアモンドについて説明する。図２（ａ）は、本発明の実施の形態２に係るダイアモンドを示す正面図であり、図２（ｂ）は、本発明の実施の形態２に係るダイアモンドを示す平面図であり、図２（ｃ）は、本発明の実施の形態２に係るダイアモンドを示す底面図である。
【００２８】
図２（ａ）に示すように、ダイアモンド２０は、なだらかな半球形状（断面略半円形状）を有するクラウン２１と、略円錐形状（断面略三角形状）であり、かつ稜線に段差部２９を有するパビリオン２２と、クラウン２１とパビリオン２２との境界周面の帯状のガードル２３とを備える。
【００２９】
図２（ａ）に示すように、ダイアモンド２０のクラウン２１の頂部には、中央で湾曲し、半球形状に隆起するテーブル２５が形成されている。テーブル２５は平滑面であり、細かなカット面は施されず、全体は丹念に研磨されている。また、テーブル２５とガードル２３との間には、複数のアッパーガードルファセット２４が形成されている。なお、アッパーガードルファセット２４の面数やテーブル２５の曲率について特に限定がない点は前記実施態様と同様である。
【００３０】
一方、図２（ｂ）に示すように、ダイアモンド２０のパビリオン２２には、鋭角なキューレット２８を中心としてパビリオンメインファセット２６が形成されている。このパビリオンメインファセット２６は、各稜線の同一位置に段差部２９が形成されることで、キューレット２８に近い方が下側パビリオンメインファセット２６ａ、ガードル２３に近い方が上側パビリオンメインファセット２６ｂに二分割されている。この上側パビリオンメインファセット２６ｂとガードル２３の間には、ローワガードルファセット２７が形成されている。
【００３１】
このような構成を有する本実施の形態に係るダイアモンド２０は、ダイアモンド１０と同様の効果を有する。すなわち、半球形状に形成されたテーブル２５からの入射光は緩和され、パビリオン２２で反射してクラウン２１側から出射することによって、従来のダイアモンドとは異なる輝きを発揮する。
【００３２】
また、ダイアモンド２０においては、半球形状に形成されたテーブル２５は一種のレンズ効果を発揮すると共に、段差部２９が形成された下側パビリオンメインファセット２６ａと上側パビリオンメインファセット２６ｂは異なる角度で入射光を反射する。したがって、例えば、図２（ｂ）に示すように、注意深く観察すると、テーブル２５から下側パビリオンメインファセット２６ａと上側パビリオンメインファセット２６ｂの境界線を目立たせることができ、下側パビリオンメインファセット２６ａを美しい星型模様としてかすかに拡大視認することができる。このため、従来のダイアモンドとは異なる需要者の新しい趣味感に訴えることができる。
【００３３】
（実施の形態３）
本実施の形態では、略角錐形状を有するパビリオンを備えたダイアモンドについて説明する。図３（ａ）は、本発明の実施の形態３に係るダイアモンドを示す正面図であり、図３（ｂ）は、本発明の実施の形態３に係るダイアモンドを示す平面図であり、図３（ｃ）は、本発明の実施の形態３に係るダイアモンドを示す底面図である。
【００３４】
図３（ａ）に示すように、ダイアモンド３０は、なだらかな半球形状（断面略半円形状）を有するクラウン３１と、略角錐形状（断面略五角形状）であるパビリオン３２と、クラウン３１とパビリオン３２との境界周面の帯状のガードル３３とを備える。
【００３５】
図３（ａ）に示すように、ダイアモンド３０のクラウン３１の頂部には、中央で湾曲し、半球形状に隆起するテーブル３５が形成されている。テーブル３５は平滑面であり、テーブル３５とガードル３３との間には、４面のアッパーガードルファセット３４が形成されている。なお、アッパーガードルファセット３４の面数とテーブル３５の曲率については、特に限定がない。
【００３６】
図３（ｃ）に示すように、ダイアモンド３０のパビリオン３２には、鋭角なキューレット３８を中心として複数のパビリオンメインファセット３６が形成されている。このパビリオンメインファセット３６とガードル３３の間には、ローワガードルファセット３７が形成されている。
【００３７】
このような構成を有する本実施の形態に係るダイアモンド３０においては、半球形状を形成するテーブル３５により、従来のダイアモンドとは異なる輝きを発揮する。また、テーブル３５のレンズ効果により、注意深く観察すると拡大されたパビリオンメインファセット３６をかすかに拡大視認することができる（図示せず）。このため、従来のダイアモンドの輝きとは異なる輝きを示し、異なる需要者の新しい趣味感に訴えることができる。
【００３８】
（実施の形態４）
本実施の形態では、略ハート錐形状を有するパビリオンを備えたダイアモンドについて説明する。図４（ａ）は、本発明の実施の形態４に係るダイアモンドを示す正面図であり、図４（ｂ）は、本発明の実施の形態４に係るダイアモンドを示す平面図であり、図４（ｃ）は、本発明の実施の形態４に係るダイアモンドを示す底面図である。
【００３９】
図４（ａ）に示すように、ダイアモンド４０は、なだらかな半球形状（断面略半円形状）を有するクラウン４１と、略ハート錐形状（断面略三角形状）であるパビリオン４２と、クラウン４１とパビリオン４２との境界周面の帯状のガードル４３とを備える。
【００４０】
図４（ａ）に示すように、ダイアモンド４０のクラウン４１の頂部には、中央で湾曲し、半球形状に隆起するテーブル４５が形成されている。テーブル４５は平滑面であり、テーブル４５とガードル４３との間には、複数のアッパーガードルファセット４４が形成されている。なお、アッパーガードルファセット４４の面数とテーブル４５の曲率については、特に限定がない。
【００４１】
図４（ａ）に示すように、ダイアモンド４０のパビリオン４２には、鋭角なキューレット４８を中心としてパビリオンメインファセット４６が形成されている。このパビリオンメインファセット４６とガードル４３の間には、ローワガードルファセット４７が形成されている。
【００４２】
このような構成を有する本実施の形態に係るダイアモンド４０においては、半球形状を形成するテーブル４５により、従来のダイアモンドとは異なる輝きを発揮する。また、テーブル４５のレンズ効果により、注意深く観察するとパビリオンメインファセット４６をかすかに拡大視認することができる（図示せず。）。このため、従来のダイアモンドの輝きとは異なる輝きを示し、異なる需要者の新しい趣味感に訴えることができる。
【００４３】
本発明は上記実施の形態１〜４に限定されず、種々変更して実施することが可能である。例えば、上記実施の形態は、ダイアモンドの代表的なカット形状においてテーブルを半球状に隆起させた具体例について説明しているが、ここに挙げられていない宝石のカット形状、例えば、マーキースカット、オーバルミックスカット、ペアーシェイプカット、トリリアントカット、その他のカット形状に適用できるのはいうまでもない。
【００４４】
次に、上記実施形態では、宝石がダイアモンドなどである場合について説明しているが、本発明においては、ダイアモンド以外の宝石、例えば、ルビー、エメラルド、サファイヤなどの色石、キュービックジルコニアなどの合成宝石、硬化ガラスなどのイミテーション宝石にも適用することができる。
【００４５】
また、上記実施の形態においては、クラウンを先に研磨処理した後にパビリオンを研磨処理するカッティング方法についてのみ説明しているが、本発明においてはパビリオンを先に研磨処理した後にクラウンを研磨処理しても良い。
【００４６】
【発明の効果】
以上に説明したように本発明に係るダイアモンドにおいては、半球形状に形成されたテーブルからの光の入射が緩和され、パビリオンで反射してクラウン側から出射することによって、従来のダイアモンドとは異なる輝きを発揮する。また、テーブルのレンズ効果により、注意深く観察するとパビリオンメインファセットを視認することができる。このため、従来のダイアモンドの輝きとは異なる輝きを示し、異なる需要者の新しい趣味感に訴えることができる。
【図面の簡単な説明】
【図１】  （ａ）は、本発明の実施の形態１に係るダイアモンドを示す正面図である。（ｂ）は、本発明の実施の形態１に係るダイアモンドをクラウン側から見た平面図である。（ｃ）は、本発明の実施の形態１に係るダイアモンドをパビリオン側から見た底面図である。
【図２】  （ａ）は、本発明の実施の形態２に係るダイアモンドを示す正面図である。（ｂ）は、本発明の実施の形態２に係るダイアモンドをクラウン側から見た平面図である。（ｃ）は、本発明の実施の形態２に係るダイアモンドをパビリオン側から見た底面図である。
【図３】  （ａ）は、本発明の実施の形態３に係るダイアモンドを示す正面図である。（ｂ）は、本発明の実施の形態３に係るダイアモンドをクラウン側から見た平面図である。（ｃ）は、本発明の実施の形態３に係るダイアモンドをパビリオン側から見た底面図である。
【図４】  （ａ）は、本発明の実施の形態４に係るダイアモンドを示す正面図である。（ｂ）は、本発明の実施の形態４に係るダイアモンドをクラウン側から見た平面図である。（ｃ）は、本発明の実施の形態４に係るダイアモンドをパビリオン側から見た底面図である。
【図５】  本発明に係るダイアモンドのカッティング方法の一部を説明するための第１工程図である。
【図６】  本発明に係るダイアモンドのカッティング方法の一部を説明するための第２工程図である。
【図７】本発明に係るダイアモンドのカッティング方法の一部を説明するための第３工程図である。
【図８】本発明に係るダイアモンドのカッティング方法の一部を説明するための第４工程図である。
【図９】  従来のダイアモンドを示す正面図である。
１０  ダイアモンド
１１  クラウン
１２  パビリオン
１３  ガードル
１４  アッパーガードルファセット
１５  テーブル
１６  パビリオンメインファセット
１７  ローワガードルファセット
１８  キューレット
２０  ダイアモンド
２１  クラウン
２９  段差部
２１  クラウン
２２  パビリオン
２３  ガードル
２４  アッパーガードルファセット
２５  テーブル
２６  パビリオンメインファセット
２６ａ  下側パビリオンメインファセット
２６ｂ  上側パビリオンメインファセット
２７  ローワガードルファセット
２８  キューレット
３０  ダイアモンド
３１  クラウン
３２  パビリオン
３３  ガードル
３４  アッパーガードルファセット
３５  テーブル
３６  パビリオンメインファセット
３７  ローワガードルファセット
３８  キューレット
４０  ダイアモンド
４１  クラウン
４２  パビリオン
４３  ガードル
４４  アッパーガードルファセット
４５  テーブル
４６  パビリオンメインファセット
４７  ローワガードルファセット
４８  キューレット
６１  ダイアモンド原石
６７  タング
６２  シャフト
６３  強力ろう
６４  スカイフ
６５  回転シャフト
６６  ダイアモンド粉
７０  ダイアモンド
７１  クラウン
７２  パビリオン
７３  ガードル
７４  クラウンメインファセット
７６  スターファセット
７５  アッパーガードルファセット
７７  ローワガードルファセット
７８  パビリオンメインファセット
７９  テーブル
【図１】
0004733914.tif 000002
【図２】
0004733914.tif 000003
【図３】
0004733914.tif 000004
【図４】
0004733914.tif 000005
【図５】
0004733914.tif 000006
【図６】
0004733914.tif 000007
【図７】
0004733914.tif 000008
【図８】
0004733914.tif 000009
【図９】
0004733914.tif 000010